(57)【特許請求の範囲】
【請求項１】
冷蔵庫本体と、該冷蔵庫本体の前面両側に開閉自在に締結される二つのドアーと、それらのドアーを冷蔵庫本体に着脱自在に締結するドアーヒンジ止め構造体と、を備えた冷蔵庫において、
該ドアーヒンジ止め構造体は、
上面中央に掛止段が上方向に屈曲突成され、該掛止段の両方側に断面アングル状の掛止片がそれぞれ突成され、前記冷蔵庫本体の上面前方両側隅部に溶着又は接着されるほぼ矩形板状のヒンジ支持体と、
前記掛止段の掛合する第１掛合孔がほぼ中央に穿孔形成され、前記各掛止片の掛合する第２掛合孔がそれぞれ両方側に穿孔形成され、前記ヒンジ支持体と前記ドアー間に掛合されて、該ドアーを冷蔵庫本体に着脱自在に締結する上部ヒンジと、を備えたことを特徴とする冷蔵庫のドアーヒンジ止め構造。
【請求項２】
前記上部ヒンジは、該上部ヒンジの前記第１掛合孔の一方側縁に取手の役割をする突条が上方向に屈曲形成されたことを特徴とする請求項１記載の冷蔵庫のドアーヒンジ止め構造。
【請求項３】
前記上部ヒンジの第２掛合孔は、中央の幅は広いが両方端に至るに従い漸次幅が狭くなる円弧状に穿孔形成されることを特徴とする請求項１記載の冷蔵庫のドアーヒンジ止め構造。
【請求項４】
前記ヒンジ支持体は、ほぼ矩形状に形成されることを特徴とする請求項１記載の冷蔵庫のドアーヒンジ止め構造。
【請求項５】
前記上部ヒンジは、
ほぼ三角形板状に形成され、一方側隅部下面には、前記ドアーの上面のピン挿合孔に挿合される上部ピンが下方向に突成されたことを特徴とする請求項１記載の冷蔵庫のドアーヒンジ止め構造。
【発明の詳細な説明】
【０００１】
【発明の属する技術分野】
本発明は、冷蔵庫のドアーヒンジ止め構造に係るもので、詳しくは、冷蔵庫本体にドアーを締結又は取り外すとき、工具を使用せずして簡便に締結及び分離し得る冷蔵庫のドアーヒンジ止め構造に関するものである。
【０００２】
【従来の技術】
従来の冷蔵庫の１例においては、図８に示したように、冷蔵庫本体２の前面一方側壁上下部に、それぞれ二つのドアー１ａ，１ｂがヒンジ締結体により締結されて構成されていた。
且つ、近来、冷蔵庫が大型化されるに従い、他の例として、図９〜図１１に示したように、冷蔵庫本体６の前面両方側に二つのドアー４がそれぞれドアーヒンジ構造体により開閉自在に締結されていた。
【０００３】
又、該ドアーヒンジ構造体においては、冷蔵庫本体６の前面下部両方側にネジ孔６ａが切刻形成され、該冷蔵庫本体６の上面両方側に２個ずつのネジ孔６ｂがそれぞれ切刻形成され、それらのネジ孔６ａ，６ｂに対応する二つのドアー４の上、下両面にもそれぞれピン挿合孔４ａ，４ｂがそれぞれ切刻形成され、それらピン挿合孔４ａ，４ｂに挿合される挿合ピン５ａ，９ａ、をそれぞれ有した下部ヒンジ５及び上部ヒンジ９が形成され、それらの上下部ヒンジ９，５にそれぞれ穿孔形成されたネジ挿入用バカ孔９ｂ，５ｂを介し、それらの上、下部ヒンジ５，９がネジ８によりそれぞれネジ孔６ａ，６ｂに螺合されてドアー４が冷蔵庫本体６に締結されるように構成されていた。
【０００４】
以下、このように構成されたヒンジ構造体を用いてドアー４を本体６に締結する動作を説明する。
先ず、冷蔵庫本体６の下部両方側の各ネジ孔６ａに下部ヒンジ５のネジ挿入用バカ孔５ｂをそれぞれ相合させ、該下部ヒンジ５の挿合ピン５ａが上方を向くようにして該下部ヒンジ５をネジ８によりネジ孔６ａに螺合する。
【０００５】
次いで、それらの下部ヒンジ５の挿合ピン５ａにドアー４に下面のピン挿合孔４ａをそれぞれ挿合して各ドアー４を本体６の前面に立設し、それらのドアー４の上面のピン挿合孔４ｂに上部ヒンジ９の挿合ピン９ａを挿合した後、それらの上部ヒンジ９のネジ挿入用バカ孔９ｂを冷蔵庫本体６のネジ孔６ｂにそれぞれ相合し、ネジ８により各上部ヒンジ９をネジ孔６ｂに螺合すると、各ドアー４は、冷蔵庫本体６に完全に締結される。
【０００６】
その後、冷蔵庫本体６に締結されたドアー４を本体６から取り外すときは、前述した動作を逆に行えば良い。
このような両方に二つのドアーを備えた大型冷蔵庫においては、その容積が大きく、重さも相当重いため、冷蔵庫を運搬又は移動させる場合、ドアーを取り外して運搬した後、再び、それらのドアーを締結するようになっている。
【０００７】
【発明が解決しようとする課題】
然るに、このように構成された従来の冷蔵庫のドアーヒンジ止め構造においては、冷蔵庫本体からドアーを外して再び締結するとき、工具を使用するようになっているため、煩雑であるという不都合な点があった。
且つ、ドアーをネジにより冷蔵庫本体の上部に螺合するようになっているため、長期間使用すると、ネジ山が摩耗して、ドアーと冷蔵庫本体間の締結部位に緩み現象が発生し、製品の信頼性が低下するという不都合な点があった。
【０００８】
そこで、本発明は、このような従来の課題に鑑みてなされたもので、工具を使用せずして極めて簡便に冷蔵庫本体からドアーを取り外して再び締結し、ネジ山の摩耗による締結部位の緩み現象を防止して、製品の信頼性を向上し得る冷蔵庫のドアーヒンジ止め構造を提供することを目的とする。
【０００９】
【課題を解決するための手段】
このような目的を達成するため、本発明に係る冷蔵庫のドアーヒンジ止め構造においては、冷蔵庫本体３０と、該冷蔵庫本体３０の前面両側に開閉自在に締結される二つのドアー４０と、それらのドアー４０を冷蔵庫本体３０に着脱自在に締結するドアーヒンジ止め構造体と、を備えた冷蔵庫において、
該ドアーヒンジ止め構造体は、
上面中央に掛止段１２が上方向きに屈曲突成され、該掛止段１２の両方側に断面アングル状の掛止片１１がそれぞれ突成され、前記冷蔵庫本体３０の上面前方両側隅部に溶着又は接着されるほぼ矩形板状のヒンジ支持体１０と、
前記掛止段１２の掛合する第１掛合孔２２がほぼ中央に穿孔形成され、前記各掛止片１１の掛合する第２掛合孔２３がそれぞれ両方側に穿孔形成され、前記ヒンジ支持体１０と前記ドアー４０間に掛合されて、該ドアー４０を冷蔵庫本体３０に着脱自在に締結する上部ヒンジ２０と、を備えている。
【００１０】
【発明の実施の形態】
以下、本発明の実施の形態に対し、図面を用いて詳細に説明する。
本発明に係る冷蔵庫においては、図１及び図２に示したように、冷蔵庫本体３０と、該冷蔵庫本体３０の前面両方側に開閉自在に締結される二つのドアー４０と、それらのドアー４０を冷蔵庫本体３０に着脱自在に締結するドアーヒンジ止め構造体と、を備えている。
【００１１】
そして、前記ドアーヒンジ止め構造体においては、図１〜図５に示したように、上面に下部ピン５０ａが突成された断面アングル状の下部ヒンジ５０が形成され、該下部ヒンジ５０により二つのドアー４０が後述する下部ピン挿合孔４０ｂを介して冷蔵庫本体３０の前面下部両方側にそれぞれ螺合されるようになっている。
【００１２】
又、前記各ドアー４０の下面には前記下部ピン挿合孔４０ｂが穿設され、それらのドアー４０の上面には上部ピン挿合孔４０ａが穿設され、該上部ピン挿合孔４０ａに後述する上部ヒンジ２０の上部ピン２１が挿合するようになっている。
【００１３】
更に、前記冷蔵庫本体３０の上面前方両側隅部には矩形板状のヒンジ支持体１０が溶着又は接着され、それらヒンジ支持体１０の上面中央部は、上方向きに屈曲して後述する上部ヒンジ２０の第１掛合孔２２が掛合する掛止段１２が突成され、該掛止段１２の前後両側のヒンジ支持体１０の上面には後述する上部ヒンジ２０の第２掛合孔２３が掛合する掛止片１１がそれぞれ突成されている。
【００１４】
そして、下方向にやや屈曲された三角形板状の上部ヒンジ２０が形成され、該上部ヒンジ２０の一方側三角隅部下面に前記上部ピン２１が下方向き突成され、該上部ヒンジ２０の中央に前記第１掛合孔２２が穿孔形成されて、該第１掛合孔２２の一方側に取手の役割をする突条２２ａが上方向に屈曲形成され、該第１掛合孔２２の前後両側の上部ヒンジ２０には、中央の幅は広いが、両方側に行くにつれ幅が漸次狭くなる円弧状の第２掛合孔２３がそれぞれ穿孔形成されている。
【００１５】
以下、このように構成された本発明に係る冷蔵庫のドアーヒンジ止め構造を用いて冷蔵庫本体３０に各ドアー４０を締結する動作を説明する。
先ず、下部ピン５０ａを有した下部ヒンジ５０が冷蔵庫本体３０の前面両方側下部に、該下部ピンを上方向きにネジにより螺合され、該下部ヒンジ５０の下部ピン５０ａにドアー４０の下部ピン挿合孔４０ｂが挿合されて、ドアー４０が冷蔵庫本体３０に締結されるが、このように一度下部ヒンジ５０が冷蔵庫本体３０に螺合されると、該冷蔵庫本体３０からドアー４０を取り外して再び締結するとき、前記下部ヒンジ５０を外す必要なく、後述するように上部ヒンジ２０を用いて、ドアー４０を外し、又は締結するようになる。
【００１６】
且つ、冷蔵庫本体３０の上面にヒンジ支持体１０を溶着又は接着し、前記下部ヒンジ５０の下部ピン５０ａに係合されたドアー４０の上部ピン挿合孔４０ａに上部ヒンジ２０の上部ピン２１を挿合し、該上部ヒンジ２０の第１掛合孔２２及び各第２掛合孔２３の中央部位を、ヒンジ支持体１０の掛止段１２及び各掛止片１１にそれぞれ係合して、前記上部ピン２１を中心に上部ヒンジ２０の突条２２ａを握って該上部ヒンジ２０を時計方向に揺動させると、図５〜図７に示したように、前記掛止段１２は第１掛合孔２２に掛合され、前記各第２掛合孔２３の広い幅部位に位置していた掛止片１１は、それぞれ各掛合孔２３の側方の狭い幅部位に係合され、それらの掛止片１１の屈曲部１１ａにより揺動不可能に把持されて、前記上部ヒンジ２０は前記ドアー４０を前記冷蔵庫本体３０上のヒンジ支持体１０に堅固に締結させる。
【００１７】
その後、冷蔵庫本体３０からドアー４０を取り外すときは、上部ヒンジ２０の突条２２ａを握って該突条２２ａを上方に押し上げると、ヒンジ支持体１０の掛止段１２により掛止していた上部ヒンジ２０が解除され、該上部ヒンジ２０を反時計方向にやや揺動させると、ヒンジ支持体１０の各掛止片１１が上部ヒンジ２０の各第２掛合孔２３の広い幅部位に位置して、上部ヒンジ２０はヒンジ支持体１０から完全に解除され、ドアー４０は冷蔵庫本体３０から分離される。
【００１８】
【発明の効果】
以上説明したように、本発明に係る冷蔵庫のドアーヒンジ止め構造においては、ヒンジ支持体及び上部ヒンジを用いて、ドアーを冷蔵庫本体に着脱自在に締結するように構成されているため、工具を使用せずして極めて簡便にドアーを冷蔵庫本体に締結又は取り外し、ネジ山の摩耗による締結部位の緩み現象を防止して製品の信頼性を向上し得るという効果がある。
【図面の簡単な説明】
【図１】本発明に係る冷蔵庫のドアーヒンジ構造を示した側面図である。
【図２】図１の平面図である。
【図３】本発明に係るヒンジ支持体を示した構成図で、（Ａ）は、平面図、（Ｂ）は、図（Ａ）のＩ〜Ｉ′線断面図である。
【図４】本発明に係る上部ヒンジを示した構成図で、（Ａ）は、平面図、（Ｂ）は、図（Ａ）のII〜II′線断面図である。
【図５】本発明に係るドアーヒンジ構造の締結動作表示図で、（Ａ）は、上部ヒンジをヒンジ支持体に締結させる動作表示図、（Ｂ）は、締結終了状態表示図である。
【図６】図５（Ｂ）のIII 部を拡大して表示した断面図である。
【図７】図５（Ｂ）のIV部を拡大して表示した断面図である。
【図８】従来の冷蔵庫の１例を示した外観図である。
【図９】従来の冷蔵庫の他の例を示した外部正面図である。
【図１０】図９の側面図である。
【図１１】図９の平面図である。
【符号の説明】
１０…ヒンジ支持体
１１…掛止片
１１ａ…屈曲部
１２…掛止段
２０…上部ヒンジ
２１…上部ピン
２２…第１掛合孔
２２ａ…突条
２３…第２掛合孔
３０…本体
４０…ドアー
４０ａ…上部ピン挿合孔
４０ｂ…下部ピン挿合孔
５０…下部ヒンジ
５０ａ…下部ピン
【図１】
0003905206.tif 000002
【図２】
0003905206.tif 000003
【図３】
0003905206.tif 000004
【図４】
0003905206.tif 000005
【図５】
0003905206.tif 000006
【図６】
0003905206.tif 000007
【図７】
0003905206.tif 000008
【図８】
0003905206.tif 000009
【図９】
0003905206.tif 000010
【図１０】
0003905206.tif 000011
【図１１】
0003905206.tif 000012